(57)【要約】【課題】ロック操作片の切換操作を容易に行え、かつ、支持構造が簡単でコンパクトな構成を達成できるリールシートを提供する。【解決手段】可動フード１を位置固定するロック手段Ｒを、シートベース２の可動フード取付面に形成した係合歯部４と、可動フード１に備えられ係合歯部４に弾性係合離脱自在な係止爪７と、可動フード１に備えられ係止爪７が係合歯部４に係合する状態を維持するロック操作片８とで構成する。ロック操作片８を、係止爪７に作用するロック位置と係止爪７より離間する非ロック位置とに亘って竿軸線方向に沿ってスライド移動可能に構成してある。【選択図】図２
2010284113.tif 000002
【特許請求の範囲】
【請求項１】
シートベースに可動フードを移動自在に取り付けるとともに、前記可動フードを位置固定するロック手段を設け、前記ロック手段を、前記シートベースの可動フード取付面に形成した係合歯部と、前記可動フードに備えられ前記係合歯部に弾性係合離脱自在な係止爪と、前記可動フードに備えられ前記係止爪が前記係合歯部に係合する状態を維持するロック操作片とで構成してある釣り竿のリールシート構造であって、
前記ロック操作片を、前記係止爪に作用して前記係止爪が前記係合歯部に係合する状態を現出するロック位置と、前記係止爪への作用が解除され前記係止爪の前記係合歯部への係合が解除する非ロック位置とに亘って竿軸線方向に沿ってスライド移動可能に構成し、前記可動フードに前記ロック操作片を前記ロック位置に保持させる保持機構を、保持状態と非保持状態とに切換可能に設けてある釣り竿のリールシート構造。
【請求項２】
前記可動フードに弾性体製の内装保持体を設け、前記内装保持体に前記係止爪を支持して、前記係止爪が前記ロック操作片の作用を受けて前記係合歯部に係合する状態と、前記ロック操作片への作用が解除されて前記係止爪の前記係合歯部への係合が解除する状態とに切り換わるのを許容すべく構成し、前記内装保持体と前記ロック操作片とに亘って前記保持機構を形成し、前記保持機構を、前記内装保持体と前記ロック操作片との一方に形成した保持爪と、前記内装保持体と前記ロック操作片との他方に形成した保持歯とで構成してある請求項１記載の釣り竿のリールシート構造。
【発明の詳細な説明】
【技術分野】
【０００１】
本発明は、釣り糸巻取り用の各種リールを脱着自在に装着する釣り竿のリールシート構造に関する。
【背景技術】
【０００２】
釣り竿のリールシート構造は、シート本体（公報内番号：７）に可動フード（公報内番号：４７）を移動自在に取り付けるとともに、前記可動フードを位置固定するロック手段を設けて構成してある。
前記ロック手段は、前記シート本体の可動フード取付面に形成した係合歯部としての係合歯（公報内番号：９３）と、前記可動フードに備えられ前記係合歯部に弾性係合離脱自在な係止爪としての固定用爪部材（公報内番号：６１）と、前記可動フードに備えられ前記係止爪が前記係合歯部に係合する状態を維持するロック操作片としての固定用レバー（公報内番号：６３）で構成してある。
固定用レバーは、可動フードの左右横側部に形成された支持部（公報内番号：５５）に前後揺動可能に支持されている。この固定用レバーを、固定フード側に向けて揺動作動させると、固定用レバーの押圧片（公報内番号：８９）が係止爪を押し付けて係合歯部に係合させ、可動フードでリール脚の足部を保持する状態を現出する。
この係止爪が係合歯部に係合した状態は、固定用レバーがデッドポイントを越えて揺動することによって維持される（例えば、特許文献１参照）。
【先行技術文献】
【特許文献】
【０００３】
【特許文献１】特開２００４−２８３１２３号公報（段落番号〔００２１〕、〔００２６〕、図６〜図８）
【発明の概要】
【発明が解決しようとする課題】
【０００４】
固定用レバーであるロック操作片で係止爪を押し付けて係合歯部に係合する状態から係止爪の係合する状態を解除するには、ロック操作片を固定フ−ドから離れる方向に揺動させて、引き起こす必要がある。また、係止爪の係合解除状態から係合状態に切換えるには、引き起こした状態にあるロック操作片を固定フード側に揺動させて倒す必要がある。
【０００５】
しかし、係合状態では、ロック操作片は可動フードのリール脚を収納するフード本体に被さるように重ね合わせられた状態にある。したがって、この状態からロック操作片を引き起こすには、ロック操作片とフード本体との間にある僅かな隙間に指先を掛けて引起す操作を必要とし、思いの他、引起し操作に手間取ることがあった。また、ロック操作片がデッドポイントを越えた状態で係止爪より抵抗を受けているので、余計に操作が難しくなっていた。
しかも、ロック操作片が揺動式である為に、支持構造が複雑でコンパクトさに欠ける面もあった。
【０００６】
本発明の目的は、このような点に着目してなされたものであって、ロック操作片の切換操作を容易に行え、かつ、支持構造が簡単でコンパクトな構成を達成できる釣り竿のリールシート構造を提供する点にある。
【課題を解決するための手段】
【０００７】
〔構成〕
請求項１に係る発明の特徴構成は、シートベースに可動フードを移動自在に取り付けるとともに、前記可動フードを位置固定するロック手段を設け、前記ロック手段を、前記シートベースの可動フード取付面に形成した係合歯部と、前記可動フードに備えられ前記係合歯部に弾性係合離脱自在な係止爪と、前記可動フードに備えられ前記係止爪が前記係合歯部に係合する状態を維持するロック操作片とで構成してある釣り竿のリールシート構造であって、
前記ロック操作片を、前記係止爪に作用して前記係止爪が前記係合歯部に係合する状態を現出するロック位置と、前記係止爪への作用が解除され前記係止爪の前記係合歯部への係合が解除する非ロック位置とに亘って竿軸線方向に沿ってスライド移動可能に構成し、前記可動フードに前記ロック操作片を前記ロック位置に保持させる保持機構を、保持状態と非保持状態とに切換可能に設けてある点にあり、その作用効果は次の通りである。
【０００８】
〔作用〕
ロック操作片を竿軸線方向に沿って一方にスライド移動させると、ロック操作片が係止爪を押し操作して、ロック位置において係止爪を係合歯部に係合させる。この状態で保持機構によってロック操作片はロック状態を維持する。
保持機構の保持状態を解除して非保持状態に切換え、ロック操作片を他方にスライド移動させて非ロック位置に位置させると、係止爪は自身の弾性復帰力により係合歯部より離間して、ロック状態が解除される。
【０００９】
〔効果〕
従って、ロック構造をスライド式に変更することによって、ロック操作片を引き起こす等の面倒な操作を行う必要がなく、かつ、スライド式であるので支持構造も簡単なものでよく、コンパクトな構造とすることができた。
【００１０】
〔構成〕
請求項２に係る発明の特徴構成は、前記可動フードに弾性体製の内装保持体を設け、前記内装保持体に前記係止爪を支持して、前記係止爪が前記ロック操作片の作用を受けて前記係合歯部に係合する状態と、前記ロック操作片への作用が解除されて前記係止爪の前記係合歯部への係合が解除する状態とに切り換わるのを許容すべく構成し、前記内装保持体と前記ロック操作片とに亘って前記保持機構を形成し、前記保持機構を、前記内装保持体と前記ロック操作片との一方に形成した保持爪と、前記内装保持体と前記ロック操作片との他方に形成した保持歯とで構成してある点にあり、その作用効果は次の通りである。
【００１１】
〔作用効果〕
係止爪を弾性体製の内装保持体に支持し内装保持体とロック操作片とで保持機構を構成したので、ロック操作片を強い操作力で押し移動操作すると、内装保持体が変位することによって、保持爪と保持歯との係合状態が自動的に解除されて保持機構が非保持状態に切換られて、ロック操作片をスライド操作することが可能になる。
ロック解除位置よりロック操作片をスライド操作し、ロック位置まで操作すると、保持爪と保持歯とが内装保持体の弾性復帰力によって、自動的に係合状態に切り換わる。
しかも、ロック操作片をスライド式のものに構成したので、ロック操作片を摘んで引き起こすような面倒な操作を必要とせず、かつ、ロック操作片を揺動させるような大きなスペースも必要としないので、コンパクトな構成とすることができる。
【図面の簡単な説明】
【００１２】
【図１】リールシートを元竿に取付た状態を示す斜視図である。
【図２】可動フード、ロック手段、保持機構を示し、（ａ）可動フードを退避位置に位置させて、ロック操作片を非ロック位置に操作した状態を示す縦断側面図、（ｂ）可動フードをリール脚固定位置に位置させて、ロック操作片をロック位置に操作した状態を示す縦断側面図である。
【図３】可動フードと、その可動フードに備えられたロック手段と、保持機構とを示す組み立て前の状態を示す分解縦断側面図である。
【図４】可動フードにロック手段のロック操作片を装着する前の状態を示す平面図である。
【図５】可動フードにロック手段の係止爪を弾性体製の内装保持体に取付た状態及びロック操作片を装着した状態を示す縦断背面図である。
【図６】可動フードにおけるロック操作片の支持部にゴム製抵抗体を装着した状態を示す別実施構造の縦断背面図である。
【図７】ロック操作片の保持機構としてボール式スプリング機構を採用した形態を示す縦断側面図である。
【発明を実施するための形態】
【００１３】
図１に示すように、リールシートＡは、前端部に固定フード２、後端部に可動フード１を配置して、リール脚の先端から竿先側に屈曲形成された先側足部９及び竿元側に屈曲形成された元側足部９を挿入固定するように構成されている。リールシートＡは、ナイロン樹脂やＡＢＳ樹脂で成形されており、その筒状のシートベース３を元竿５の所定位置に外嵌させて、接着剤等でその元竿５に装着固定される。
【００１４】
可動フード１は、図１及び図２に示すように、両横側壁１Ａ，１Ａと天井壁１Ｂとからなる本体部と、両横側壁１Ａの内側に貼り付けられてリール脚の先端から竿元側に屈曲形成されている元側足部９を保持する弾性体製の内装保持体６と、内装保持体６の竿元端部内に嵌め込み固定されるとともにその内装保持体６より竿元側に向けて片持ち状に延出される弾性復帰可能な係止爪７と、係止爪７に当接作用してその係止爪７を係合姿勢と係合解除姿勢とに切り換えるスライド式のロック操作片８とを備えて構成してある。
【００１５】
可動フード１をロック位置で固定するロック手段Ｒについて説明する。
図２及び図３に示すように、ロック手段Ｒは、可動フード１に装備されるロック操作片８と、係止爪７と、シートベース３の可動フード取付面に形成した係合歯部４とで構成する。可動フード１の天井壁１Ｂに本体部の内部空間を臨む抜き孔１Ｃを形成し、ロック操作片８の操作部８ｃとの干渉を回避してスライド操作の為の便宜を図ってある。
本体部の内部には、図３〜図５に示すように、両横側壁１Ａ，１Ａより相手側の横側壁１Ａに向けて天井壁１Ｂに略平行な姿勢の左右の受け板部１Ｄ，１Ｄを延出してある。この受け板部１Ｄと天井壁１Ｂとの間に形成される通路空間を、ロック操作片８の横側端部分８ｂを支持するガイド溝ａに形成する。
【００１６】
ロック操作片８は、図３及び図４に示すように、合成樹脂製の板状部材であり、竿先端側部分８ａと両横側端部分８ｂとに亘って薄板部分を形成してあり、竿先端側部分８ａと両横側端部分８ｂとの間に厚板状の操作部８ｃを形成し、竿元端側に下向きに曲げ形成された作用片部８ｄを形成して構成してある。
操作部８ｃには、上方に突出する指掛け部８ｅが複数個形成してあり、後記するように、ロック操作片８を操作する際に、指掛け部８ｅに指を掛けて竿軸芯方向に沿って押し操作することによって、容易にスライド移動させることができるように、便宜を図った構成を採っている。
【００１７】
図２〜図４に示すように、内装保持体６は、内装本体部６Ａと内装本体部６Ａの竿先端側に鍔部６ａを形成してあり、内装本体部６Ａの竿元側端部に係止爪７の基端部７Ａを嵌め込み固定する取付用穴６ｂを形成し、内装本体部６Ａの下向き湾曲面に湾曲状の元側足部９の甲部分を保持する足保持部６ｃを形成してある。
このような内装保持体６の鍔部６ａを天井壁１Ｂの竿先端に当て付け、内装本体部６Ａを可動フード１の本体部内に接着装着することによって、内装保持体６を可動フード１に取り付けている。
【００１８】
以上のような構成により、図２、図４及び図５に示すように、ロック操作片８の両横側端部分８ｂ，８ｂを、夫々、天井壁１Ｂと受け板部１Ｄとの間のガイド溝ａ内に差し入れて、ロック操作片８を受け板部１Ｄで竿軸芯方向に沿ってスライド移動可能に支持する。
【００１９】
以上のように構成された可動フード１は、図１及び図５に示すように、左右両横側壁１Ａ，１Ａの下端部を折り返して折り返し部１ａを形成し、シートベース３の取付台３Ａに形成した直線状の案内溝３Ｂ内に折り返し部１ａを挿し入れて、その取付台３Ａの側面に沿ってスライド移動可能に構成してある。
つまり、可動フード１は、固定フード２に近接する位置でリール脚を固定するリール脚固定位置とそのリール脚固定位置より竿元側に設けた退避位置とに亘って竿軸芯方向に沿ってスライド移動自在に構成してある。
【００２０】
係止爪７について説明する。図２〜図４に示すように、係止爪７は、ロック操作片８の横幅より小さな横幅を呈するチタンやアルミ等の金属製の長尺状の板材で形成されている。係止爪７は、直線状の基端部７Ａの竿元側端にアングル状の中間屈曲部７Ｂを配置し、中間屈曲部７Ｂの更に竿元側端に円弧状を呈する係止片部７Ｃを配置し、基端部７Ａ、中間屈曲部７Ｂ、係止片部７Ｃを一体的に曲げ形成してある。
係止爪７は、上記したように、基端部７Ａに対してアングル状を呈する中間屈曲部７Ｂと円弧状を呈する係止片部７Ｃとを一体形成して、全体として基準姿勢に弾性復帰できるように構成してある。
【００２１】
次に、係止爪７が係合する相手側となる係合歯部４について説明する。
図１及び図２に示すように、シートベース３の取付台３Ａの上面に鋸歯状に形成された係合歯部４が設けられている。この係合歯部４はステンレス製の基板の上面にプレス形成されてシートベース３の所定位置に嵌め込み固定されている。鋸歯状を呈する係合歯部４の歯形の具体的形態は、図２に示すように、固定フード２に向かう前向き面４ａが垂直面で反対側の後向き面４ｂが傾斜面に形成されている。また、前向き面４ａと後向き面４ｂとが交差する歯先には僅かな平坦面４ｃが設けられ、歯先が早期に損傷あるいは摩損することが防止されている。
【００２２】
ロック操作片８をロック位置に保持する保持機構Ｂについて説明する。図２及び図３に示すように、保持機構Ｂは、ロック操作片８の下面に突設させた保持爪８Ａと、内装保持体６の上面に形成した保持歯６Ｂとで構成してある。
保持爪８Ａの横幅は、図２及び図３に示すように、可動フード１の両横側壁１Ａ，１Ａから内向きに延出された受け板部１Ｄの先端同士の間隙内において移動できるように、その間隙よりも小さな横幅に形成されている。
保持歯６Ｂは、少なくとも、ロック操作片８のロック位置と非ロック位置との二箇所に設けてあればよい。そして、その形状は山形状を呈し、山形状の両傾斜面における固定フード２に向う前向き傾斜面６ｄの傾斜度と後向き傾斜面６ｅの傾斜度が同一のものに形成してある。
【００２３】
このような構成によって、ロック操作片８の指掛け部８ｅに指を掛けて竿軸芯方向に沿って前後に押し操作すると、保持爪８Ａが保持歯６Ｂの前向き傾斜面６ｄか又は後向き傾斜面６ｅを乗りあがろうとする。この場合に、保持歯６Ｂを形成した内装保持体６が自身の弾性変形力によって下向きにやや変位することによって、保持爪８Ａが保持歯６Ｂを乗り越え、ロック操作片８のスライド移動を許容する。
【００２４】
以上のような構成により、図２（ａ）に示すように、ロック操作片８を移動範囲の竿先側端に位置させると、保持爪８Ａと竿先端側に形成された保持歯６Ｂが係合して、非ロック位置に保持される。この状態では、ロック操作片８の作用片部８ｄの竿元端が係止爪７の円弧状の係止片部７Ｃより離間した状態であり、係止爪７は自己の弾性復帰力によって、係合歯部４より離間した状態にある。したがって、可動フード１は固定されていない。
【００２５】
図２（ａ）に示す状態から、図２（ｂ）に示すように可動フード１を竿先側に移動させて元側足部９に内装保持体６を被せてリール脚を保持した状態で、ロック操作片８を竿元側にスライド移動させると、ロック操作片８の作用片部８ｄが係止爪７の係止片部７Ｃに押圧作用して、係止片部７Ｃを係合歯部４に係合する。この状態では、スライド操作片８に形成した保持爪８Ａと保持歯６Ｂのうちの竿元側端に形成された保持歯６Ｂが係合して、可動フード１は竿元側への移動が規制されるロック位置に位置する。
【００２６】
図２（ｂ）に示すように、ロック位置において元側足部９から可動フード１を竿元側に移動させる力が作用すると、係止爪７の係止片部７Ｃは、さらに、小径の円弧状に変形する。
そうすると、ロック操作片８の作用片部８ｄが係止爪７の係止片部７Ｃによって、前方上方に向う反力を受ける。この場合には、反力のうちの上方に向う分力によって、ロック操作片８が可動フード１の天井壁１Ｂに押し付けられて移動抵抗を受けることとなる。その上に、ロック操作片８が前方斜め上向きの力を受けただけでは、内装支持体６を下向きに撓ませる力と成り難いところから、ロック操作片８の保持爪８Ａと保持歯６Ｂとの係合状態が自動的に解除されることは少なく、ロック操作片８はロック位置を保持する。
【００２７】
ロック操作片８のロック位置でのロック状態を更に強固なものにするには、保持歯６Ｂの形状を、前向き傾斜面６ｄの傾斜度に比べて後向き傾斜面６ｅの傾斜度を大きくすることも考えられる。
【００２８】
〔別実施の形態〕
（１）前記内装保持体６を弾性体として軟質樹脂を使用する形態について説明したが、弾性体としてはゴムを材料として使用して形成してもよい。
【００２９】
（２）前記内装保持体６としては、保持歯６Ｂを含む一部のみを弾性体として軟質樹脂等で形成し、他の大部分を硬質の樹脂で撓み難いものに構成してもよい。
【００３０】
（３）可動ガイド１の本体部におけるガイド溝ａに次のようなゴム製抵抗体１３を装入して構成してもよい。図６に示すように、コノ字状のゴム製抵抗体１３を、天井壁１Ｂ、横側壁１Ａ、受け板部１Ｄで囲まれるガイド溝ａ内に、それら天井壁１Ｂ、横側壁１Ａ、受け板部１Ｄに密着する状態で装着する。
コノ字状のゴム製抵抗体１３には、横向きの凹入部が形成されており、この横向きの凹入部内にロック操作片８の横側端部分８ｂを装入して、ロック操作片８のスライド移動をガイドすべく構成する。
このように、ロック操作片８をガイドするガイド溝ａにゴム製抵抗体１３を装着することによって、ロック操作片８の位置保持機能が高まり、可動フード１のガタツキ等が抑制される。
【００３１】
（４）保持機構Ｂとしては、図７に示すように、ボール式スプリング機構を採用してもよい。つまり、ロック操作片８の下面にボール状体１１と係合する係合孔８ｆを複数個形成する。一方、内装保持体６に係合用のボール状体１１とこのボール状体１１を係合方向に付勢するコイルバネ１２を装入する。ボール状体１１と係合孔８ｆとの係合作用によって、ロック操作片８をロック位置と非ロック位置とに位置保持可能な保持機構Ｂを構成してもよい。
【００３２】
（５）保持機構Ｂとしては、ロック操作片８がロック位置から非ロック位置に移動する中間の位置においても保持機能を発揮できるように形成されているが、少なくとも、ロック操作片８がロック位置においてロック状態を保持できるように、ロック位置においてのみ設ける構成を採ってもよい。
【産業上の利用可能性】
【００３３】
本発明は、元竿５に板状のシートベースを着脱自在に取り付ける板状リールシートにも適用可能である。
【符号の説明】
【００３４】
１            可動フード
３            シートベース
４            係合歯部
６            内装保持体
７            係止爪
８            ロック操作片
Ｂ            保持機構
Ｒ            ロック手段
【図１】
2010284113.tif 000003
【図２】
2010284113.tif 000004
【図３】
2010284113.tif 000005
【図４】
2010284113.tif 000006
【図５】
2010284113.tif 000007
【図６】
2010284113.tif 000008
【図７】
2010284113.tif 000009